(57)【要約】【課題】芝生を良好に育成、維持することができ、灌水回数の低減を図ることができ、自然環境との調和性にも優れた天然芝植生構造を提供する。【解決手段】天然芝植生構造１０は、基礎地盤１１上に敷設された椰子材不織マット１２と、椰子材不織マット１２の上面に形成された透水性保水層１３と、透水性保水層１３の上面に植生された天然芝１４と、を備えている。透水性保水層１３は、土材、セメント系固化剤及び団粒化剤を含む混合物を、基礎地盤１１上に敷設された椰子材不織マット１２の上面に打設して、固化させることによって形成されている。椰子材不織マット１２は天然の植物材である椰子の繊維を素材として形成されたものである。【選択図】図１
2008271857.tif 000002
【特許請求の範囲】
【請求項１】
基礎地盤上に敷設された植物材製の不織マットと、前記不織マットの上面に形成された透水性保水層と、前記透水性保水層の上面に植生された天然芝と、を備えたことを特徴とする天然芝植生構造。
【請求項２】
前記不織マットとして、椰子材不織マットを用いた請求項１記載の天然芝植生構造。
【請求項３】
前記透水性保水層を、土材、セメント系固化剤及び団粒化剤を含む混合物を固化させて形成した請求項１又は２記載の天然芝植生構造。
【請求項４】
前記団粒化剤として、アクリル酸・メタクリル酸ジメチルアミノエチル共重合物のマグネシウム塩とポリエチレンイミンとの複合体を含む高分子化合物を用いた請求項３記載の天然芝植生構造。
【発明の詳細な説明】
【技術分野】
【０００１】
本発明はグラウンドやゴルフ場のグリーン等に使用される天然芝植生構造に関する。
【背景技術】
【０００２】
天然芝植生構造については、従来、様々なものが提案されているが、本発明に関連するものとして、最下部に形成された保水層と、保水層の上面に敷設された不織布からなる透水層と、透水層の上面に形成された客土層と、を備えた植生培地構造がある（例えば、特許文献１参照。）。この植生培地構造においては、保水層に多数の籾殻を含ませることによって当該保水層の保水量増大が図られている。
【０００３】
【特許文献１】特開２００３−３２５０３７号公報
【発明の開示】
【発明が解決しようとする課題】
【０００４】
特許文献１記載の植生培地構造は、地盤上に敷設された遮水シートの上面に保水層を形成し、この保水層の上面に不織布からなる透水層を設け、さらに透水層の上面に客土層を形成しなければならないので、施工に多大な資材と労力を必要とする。また、保水層が多数の籾殻を含んでいるため、軽量である反面、施工後の経年変化により層厚が不均一となって芝生面に凹凸が生じることがある。さらに、客土層自体の透水性、通気性が悪化しやすいので、芝生の根腐れが発生することがある。
【０００５】
一方、保水層と地盤との間には、不透水性のゴム、塩化ビニルシート、ポリプロピレンシート等の合成樹脂で形成された遮水シートが敷設されているため、施工後、植生培地構造と天然地盤との間の通水性が喪失される。このため、施工後、植生培地構造と天然地盤とが一体化されることがなく、自然環境との調和性に劣る面がある。
【０００６】
本発明が解決しようとする課題は、芝生を良好に育成、維持することができ、灌水回数の低減を図ることができ、自然環境との調和性にも優れた天然芝植生構造を提供することにある。
【課題を解決するための手段】
【０００７】
本発明の天然芝植生構造は、基礎地盤上に敷設された植物材製の不織マットと、前記不織マットの上面に形成された透水性保水層と、前記透水性保水層の上面に植生された天然芝と、を備えたことを特徴とする。
【０００８】
このような構成とすれば、降雨や散水により天然芝上に降り注いだ水分は芝生の根の部分を通過して下方へ移動し、透水性保水層に吸収、貯留されるとともに、透水性保水層に貯留できなかった水分は、その下方にある不織マットに吸収、貯留される。そして、透水性保水層及び不織マットに貯留されている水分が天然芝の要求に応じて、順次、供給されるため、芝生を良好に育成、維持することができる。また、透水性保水層が透水性及び保水性を具備していることにより、天然芝上に降り注いだ水分を速やかに吸収すると共に長期間に渡って水分を貯留することができるため、灌水回数の低減を図ることができる。さらに、基礎地盤上に敷設された不織マットは植物素材で形成され、透水性も有するため、周囲の地盤に悪影響を与えることがなく、自然環境との調和性にも優れている。
【０００９】
ここで、前記不織マットとして、椰子材不織マットを用いることが望ましい。椰子材不織マットは天然素材であるため、周囲の県境に悪影響を及ぼすことがなく、椰子繊維が優れた吸水性、保水性を発揮する。また、椰子材不織マットは、軽量であり、切断容易であるため、施工性も良好である。
【００１０】
一方、前記透水性保水層を、土材、セメント系固化剤及び団粒化剤を含む混合物を固化させて形成することが望ましい。土材とセメント系固化材とを混合したものに団粒化剤を加えることにより、イオンの作用により、土材とセメント系固化剤の粒子とが立体的な団粒構造を形成し、連続した空隙が発生する。このため、これらの混合物を固化させることにより、降雨時は雨水を保水する機能と、保水しきれない雨水は下方へ浸透させる機能とを兼備した、透水性と保水性のバランスがとれた透水性保水層を形成することができる。この透水性保水層は、通気性が良好であるため、芝生の根腐れが発生し難く、芝生の良好な育成、維持に有効である。また、土材、セメント系固化剤及び団粒化剤を含む混合物を、基礎地盤上に敷設された不織マットの上面に打設して固化させるだけで、透水性保水層を形成することができるので、施工が容易である。
【００１１】
この場合、土材は透水性保水層を形成する主材料としての機能を発揮し、団粒化剤は、前述したように、イオンの作用で土材とセメント系固化材の粒子を立体的な団粒構造に変化させる機能を発揮する。また、セメント系固化剤は、団粒化剤によって形成された団粒構造を外力で破壊されない程度まで固める役目をもっている。なお、セメント系固化剤は特に限定するものではないが、例えば、住友大阪セメント株式会社製の商品名「タフロック３Ｅ（ＴＬ−３Ｅ）」が好適である。
【００１２】
さらに、前記団粒化剤として、アクリル酸・メタクリル酸ジメチルアミノエチル共重合物のマグネシウム塩とポリエチレンイミンとの複合体を含む高分子化合物を用いることが望ましい。このような団粒化剤を用いることにより、強固な団粒構造を形成することができる。なお、このような組成の団粒化剤は特に限定するものではないが、例えば、有限会社グローバル研究所製の商品名「ＧＢ−２０００」が好適である。
【発明の効果】
【００１３】
本発明により、芝生を良好に育成、維持することができ、灌水回数の低減を図ることができ、自然環境との調和性にも優れた天然芝植生構造を提供することができる。
【発明を実施するための最良の形態】
【００１４】
以下、図面に基づいて、本発明の実施の形態について説明する。図１は本発明の実施の形態である天然芝植生構造を示す垂直断面図である。
【００１５】
図１に示すように、本実施形態の天然芝植生構造１０は、基礎地盤１１上に敷設された椰子材不織マット１２と、椰子材不織マット１２の上面に形成された透水性保水層１３と、透水性保水層１３の上面に植生された天然芝１４と、を備えている。透水性保水層１３は、土材、セメント系固化剤及び団粒化剤を含む混合物を、基礎地盤１１上に敷設された椰子材不織マット１２の上面に打設して、固化させることによって形成されている。
【００１６】
椰子材不織マット１２は天然の植物材である椰子の繊維を素材とするものであり、施工前は、厚さ１０ｍｍ、幅１ｍ、長さ１５ｍのロール形状の資材であり、その保水率は２００質量％〜３００質量％程度であるが、これに限定するものではない。
【００１７】
透水性保水層１３を形成する原料となる混合物は、土材１立方メートルに対し、セメント系固化剤１０ｋｇ〜８０ｋｇ及び団粒化剤２．０リットル〜４．０リットルを混合したものである。このような混合物を形成する工程において、土材とセメント系固化剤とを混合したものに団粒化剤を加えると、イオンの作用により、土材とセメント系固化剤の粒子とが立体的な団粒構造を形成し、連続した空隙が発生する。従って、この混合物を椰子材不織マット１２の上面に打設して固化させることにより、降雨や散水時は水分を保水する機能と、保水しきれない水分は下方へ浸透させる機能とを兼備し、透水性と保水性のバランスがとれた透水性保水層１３を形成することができる。
【００１８】
この場合、土材は透水性保水層１３を形成する主材料となり、団粒化剤は土材とセメント系固化剤の粒子を立体的な団粒構造へと変化させ、セメント系固化剤は、団粒化剤によって形成された団粒構造を外力で破壊されない程度まで固める機能を果たす。本実施形態では、団粒化剤として、アクリル酸・メタクリル酸ジメチルアミノエチル共重合物のマグネシウム塩とポリエチレンイミンとの複合体を含む高分子化合物である、有限会社グローバル研究所製の商品名「ＧＢ−２０００」を用いたところ、強固な団粒構造を形成することができた。また、セメント系固化剤として、住友大阪セメント株式会社製の商品名「タフロック３Ｅ（ＴＬ−３Ｅ）」を用いたところ、前記団粒構造を強固に固化させることができた。また、本実施形態において、土材として砂質土を用いたところ、透水性と保水性のバランスが良好な透水性保水層１３を形成することができた。
【００１９】
本実施形態において使用した団粒化剤は、アクリル酸・メタクリル酸ジメチルアミノエチル共重合物のマグネシウム塩とポリエチレンイミンとの複合体を含み、鎖状の極めて長い分子長の有機高分子がヘリックス状の分子構造を形成した高分子化合物である。この高分子化合物の分子は強い正の電荷を有し、強い電荷作用を有しているため、これを団粒化剤として使用すると、負の表面電荷を有する粒状体や粉状体と混合されたとき、これらの粒子群と瞬時に反応し、粒子同士を結合して集合体を形成し、さらに、これらの集合体を連結、架橋して立体網目構造を形成する団粒化作用を発揮する。この高分子化合物の添加により形成される立体網目構造体は優れた強度、安定性、持続性を発揮する。
【００２０】
この高分子化合物の一般的特性は、粘度３０００〜９０００ｃｐ（２５℃）の粘稠液体で、ｐＨ５．０〜７．０であり、水と任意の割合で混合することができる。この高分子化合物としては、前述したように、有限会社グローバル研究所発売のＧＢ−２０００（商品名）を使用している。
【００２１】
この高分子化合物を団粒化剤として使用する場合、原液を水で３０倍〜７０倍に希釈した水溶液を土材に混入する。この水溶液が土材に接触すると前記団粒化作用により、土材の粒子が互いに結合して立体網目構造が形成され、時間経過に伴い、さらに、結合、連結が進行し、大小の間隙を有する多孔質状の粗大粒子が形成され、最終的に、これらの粗大粒子が固化材により強固に固化された構造となるため、通気性、透水性、保水性に優れた透水性保水層１３を形成することができる。
【００２２】
なお、高分子化合物の原液の希釈率が３０倍より小さくなると土材粒子の結合が早すぎて粗大粒子が得られず、７０倍より大きくなると結合した粒子が大きくなりすぎるので、３０倍〜７０倍の範囲とするのが望ましい。また、団粒化剤の水溶液の使用量は、土材１立方メートル当たり水溶液７０〜１００リットルとするのが好ましい。水溶液の使用量が土材１立方メートル当たり７０リットル未満だと土壌の団粒化の程度が低く、通気性、透水性、保水性が不十分となり、１００リットルを超えて使用しても団粒化の効果は飽和するので、使用量はこの範囲が好ましい。一方、土材の種類によって要求される固化の程度が異なるので、セメント系固化剤の使用量は、土材に応じて適正な量を使用することが望ましい。
【００２３】
図１に示す天然芝植生構造１０において、降雨や散水により天然芝１４上に降り注いだ水分は天然芝１４の根の部分を通過して下方へ移動し、透水性保水層１３に吸収、貯留されるとともに、透水性保水層１３に貯留できなかった水分は、その下方にある椰子材不織マット１２に吸収、貯留される。そして、透水性保水層１３及び椰子材不織マット１２に貯留されている水分が天然芝１４の要求に応じて、順次、供給されるため、天然芝１４を良好に育成、維持することができる。
【００２４】
また、透水性保水層１３が、前述した立体的な団粒構造に基づく透水性及び保水性を具備したことにより、天然芝１４上に降り注いだ水分を速やかに吸収すると共に、吸収した水分を長期間に渡って貯留することができるため、灌水回数の低減を図ることができる。さらに、基礎地盤１１上に敷設された椰子材不織マット１２は天然の植物素材である椰子の繊維で形成され、保水性だけでなく、透水性も有するため、基礎地盤１１及び周囲の地盤等に悪影響を与えることがなく、自然環境との調和性にも優れている。また、椰子材不織マット１２は、軽量で切断容易であるため、施工性も良好である。
【００２５】
一方、透水性保水層１３は連続した空隙を有しているため、散水や降雨の時は水分を保水する機能と、保水しきれない雨水は下方へ浸透させる機能とを兼備し、透水性と保水性のバランスが良好である。また、透水性保水層１３は、通気性が良好であるため、天然芝１４の根腐れが発生し難く、天然芝１４の良好な育成、維持に有効である。また、土材、セメント系固化剤及び団粒化剤を含む混合物を、基礎地盤１１上に敷設された椰子材不織マット１２の上面に打設して固化させるだけで透水性保水層１３を形成することができるため、施工も容易である。
【００２６】
この場合、土材は透水性保水層１３を形成する主材料としての機能を発揮し、団粒化剤は、前述したように、イオンの作用で土材とセメント系固化材の粒子を立体的な団粒構造に変化させる機能を発揮する。また、セメント系固化剤は、団粒化剤によって形成された団粒構造を外力で破壊されない程度まで固める役目をもっている。
【産業上の利用可能性】
【００２７】
本発明の天然芝植生構造はグラウンドやゴルフ場のグリーン等の芝生面を形成する際に広く利用することができる。
【図面の簡単な説明】
【００２８】
【図１】本発明の実施の形態である天然芝植生構造を示す垂直断面図である。
【符号の説明】
【００２９】
１０  天然芝植生構造
１１  基礎地盤
１２  椰子材不織マット
１３  透水性保水層
１４  天然芝
【図１】
2008271857.tif 000003